(57)【特許請求の範囲】
【請求項１】
送風部を支持するスタンドベース部の裏面側外周部に、間隔を空けて突設配置されたクッション体による接地部を有する扇風機において、
前記スタンドベース部の裏面側外周部に、スタンドベースの裏面に取り付けられる底板をネジ止めするための底板取付用ボスを形成すると共に、該取付用ボスの外側に隣接して前記クッション体を圧入する圧入部を形成し、
当該圧入部にクッション体を圧入して仮固定してから、前記底板を底板取付用ボスにネジ止め固定することにより、底板に形成した張り出し部で前記仮固定されたクッション体の一部を押さえて、クッション体を固定する構成としたことを特徴とする扇風機。
【請求項２】
前記スタンドベース部の裏面側外周部に、前記各クッション体間に位置してクッション体よりも突出長が短い補助接地部を形成したことを特徴とする請求項１記載の扇風機。
【発明の詳細な説明】
【０００１】
【発明の属する技術分野】
本願発明は、スタンドベース部を有する扇風機に関するものである。
【０００２】
【従来の技術】
この種の扇風機においては、一般に、ＰＰ（ポリプロピレン）樹脂等で成形されるスタンドベース部の裏面側外周部に、間隔を空けて突設配置された接地部が一体成形されている。
【０００３】
ところが、この場合、畳やフローリング床等の設置面に置かれた扇風機を移動する際に、引きずるようにして動かすと、樹脂で一体成形された接地部が設置面をこすって、畳面やフローリング床面等を傷付けることがあった。
【０００４】
そこで、スタンドベース部の底板の外周縁にあるネジ止め箇所に、底板固定ネジをそのネジ頭が埋もれるような環状のクッション体に挿通して底板と一緒に共締めすることにより、スタンドベース部の接地部をクッション体で形成して、畳面やフローリング床面等の傷付きを防ぐようにしたものが用いられるようになってきた。
【０００５】
【発明が解決しようとする課題】
ところが、このような従来の扇風機においては、製品組立時、底板固定ネジを環状のクッション体に挿通して底板をネジ止めしなければならない。一般にスタンドベース部の底板は自動機でネジ止めされるが、上記のものでは、底板側にクッション体を仮固定しておくことができず、底板固定ネジをクッション体に挿通してネジ止めしなければならないため、自動機が使えず、製品組立作業の効率を大変悪くしていた。
【０００６】
また、接地部をクッション体で形成すると、畳面やフローリング床面等の傷付きは防ぐことができるが、元々重心の高い扇風機の安定度が低下するので、子供等の体が触れて傾くと、倒れやすくなる。
【０００７】
そこで、本願発明はこのような課題を解決するためになされたものであり、接地部にクッション体を用いる扇風機の製品組立時の効率向上を図ることを目的とするものである。
【０００８】
また、接地部にクッション体を用いても転倒しにくい扇風機を提供することを目的とするものである。
【０００９】
【課題を解決するための手段】
上記のような目的を達成するため、本願発明は、送風部を支持するスタンドベース部の裏面側外周部に、間隔を空けて突設配置されたクッション体による接地部を有する扇風機において、前記スタンドベース部の裏面側外周部に、スタンドベースの裏面に取り付けられる底板をネジ止めするための底板取付用ボスを形成すると共に、該取付用ボスの外側に隣接して前記クッション体を圧入する圧入部を形成し、当該圧入部にクッション体を圧入して仮固定してから、前記底板を底板取付用ボスにネジ止め固定することにより、底板に形成した張り出し部で前記仮固定されたクッション体の一部を押さえて、クッション体を固定する構成としたことを特徴とするものである。
【００１１】
また、前記スタンドベース部の裏面側外周部に、前記各クッション体間に位置してクッション体よりも突出長が短い補助接地部を形成したことを特徴とするものである。
【００１３】
【発明の実施の形態】
以下、本願発明の一実施形態を図面を参照して詳細に説明する。
【００１４】
本願発明が適用される扇風機は、図７に示すように、扇風機本体１のスタンドベース部１１にスタンド支柱部１２が着脱可能に立設されており、このスタンド支柱部１２にスライドパイプ１３が昇降自在に挿入され、その上端に、モータ１４で回転駆動される羽根１５がガード１６で覆われた送風部１７が左右方向に首振り可能に取り付けられている。
【００１５】
スタンドベース部１１はＰＰ（ポリプロピレン）樹脂製で、その上面には、スタンド支柱部１２の前側に本体側操作パネル１８が設けられており、さらにその前に遠隔操作可能なリモコン１００を収納するリモコン収納部１９が形成されている。
【００１６】
図１はスタンドベース部１１の裏面側を示す図で、図３に示す底板２０を取り付ける前の状態を示しており、図２は底板２０を取り付けた後の要部拡大図である。
【００１７】
スタンドベース部１１の裏面側には、スタンドベース部１１の外周縁２１の内側に環状リブ２２が形成されており、この環状リブ２２と一体にほぼ等間隔に配置されて、底板２０をネジ止め固定するための複数（ここでは５箇所）の底板取付用ボス２３が形成されている。
【００１８】
上記底板取付用ボス２３の外側には、環状リブ２２からスタンドベース部外周縁２１に台形状に張り出されたクッション体装着用リブ２４が形成されている。これら環状リブ２２、底板取付用ボス２３、クッション体装着用リブ２４及びスタンドベース部外周縁２１に囲まれて、同形状のクッション体２５が圧入される圧入部２６が形成されており（即ち、圧入部２６は、底板取付用ボス２３の外側に隣接している）、図１のようにクッション体２５が圧入されて仮固定される。
【００１９】
本実施形態の上記クッション体２５は、ゴム状弾性体であるエラストマー樹脂製で、台形状の外側に突出部２５ａが形成され、内側に底板２０の取付ネジ孔２７が形成された張り出し部２８に対応した凹部２５ｂが形成されている。従って、底蓋２０を図２に示すようにネジ２９で固定すると、底板２０の張り出し部２８によってクッション体２５の凹部２５ｂが押さえ付けられて、しっかりと固定されるようになっている。
【００２０】
また、上記クッション体圧入部２６の外側には、スタンドベース部外周縁２１にクッション体２５の突出部２５ａよりも突出長が短い補助保持部３０が形成されている。さらに、上記各クッション体２５間の略中央部（それぞれのクッション体２５との成す角が等角度ａ°）に位置してクッション体２５の突出部２５ａよりも突出長が短い補助接地部３１が形成されている。
【００２１】
図４（ａ）は上記クッション体２５及び補助保持部３０が設けられた部分の縦断面図、（ｂ）は接地部が設けられていない部分の縦断面図、（ｃ）は補助接地部３１が設けられている部分の縦断面図である。図示のように、クッション体２５の突出部２５ａが最も突出して扇風機設置面Ｂに接地しており、スタンドベース部外周縁２１と一体成形された補助保持部３０，補助接地部３１は、（ｂ）に示すスタンドベース部外周縁２１下端よりは下方に突出しているが、クッション体２５の突出部２５ａよりは短く形成されている。従って、補助保持部３０，補助接地部３１が畳面やフローリング床面等を傷付けることはない。
【００２２】
以上のように構成することにより、クッション体２５をスタンドベース部１１の圧入部２６に圧入して仮固定できるため、スタンドベース部１１にクッション体２５を予め組み付けておくことが可能となり、この状態で底板２０を自動機でネジ止めすることができるので、製品組立効率が向上する。
【００２３】
また、クッション体圧入部２６は、底板２０の外周縁をネジ止めするための底板取付用ボス２３の外側に形成されているので、底板２０のネジ止め固定によりその近傍にあるクッション体２５もしっかりと固定できる。
【００２４】
また、各クッション体２５の外側にクッション体２５よりも突出長が短い補助保持部３０を形成したことにより、クッション体２５の保持力を向上させることができると共に、補助保持部３０による畳面やフローリング床面等の傷付きを防ぐことができる。
【００２５】
そして、最も傾きやすい方向である各クッション体２５間の略中央部に位置してクッション体２５よりも突出長が短い補助接地部３１を形成したことにより、扇風機本体１がクッション体２５のない方向に傾いても、クッション体２５間に形成された補助接地部３１が接地して転倒に至るのを防ぐことができる。
【００２６】
一方、本実施形態においては、スタンド支柱部１２とスライドパイプ１３とのスライド機構部にも改良を施しており、これを図５，図６を用いて説明する。
【００２７】
本実施形態のスタンド支柱部１２とスライドパイプ１３は、スタンド支柱部１２の上端開口部に、スライドパイプ１３の外径に合わせた内径を有する環状カバー４０を装着して、その上からスライドパイプ１３を挿入して組み立てられる。従って、スライドパイプ１３の上端に送風部１７を取り付けた状態のままで、スタンド支柱部１２とスライドパイプ１３の組み立てを行うことができるようになっている。上記環状カバー４０は、図６に示すように環状カバー４０から垂下形成された係止爪４１がスタンド支柱部１２の内壁に形成された突起４２に引っかかって外れなくなり、スライドパイプ１３は図５に示すようにその下部側に形成された弾性片４３が環状カバー４０の内側に引っかかって抜けなくなる。
【００２８】
そして、本実施形態の上記スタンド支柱部１２の上端は外側に段部４４が形成された段付き形状に成形され、環状カバー４０の下面にはスタンド支柱部１２の上端部が嵌合する環状溝４５が形成されており、スタンド支柱部１２の上端が環状カバー４０の環状溝４５に嵌合する構成となっている。スタンド支柱部１２は一般的なＡＢＳ（アクリロニトリル・ブタジエン・スチレン）樹脂製であるのに対して、環状カバー４０は機械的強度や耐摩耗性に優れたＰＯＭ（ポリアセタール）樹脂の成型品を用いている。
【００２９】
従来は、特開平９−２６４２９０号公報（Ｆ０４Ｄ  ２５／０８  ３０６）に開示されているように、スタンド支柱部とスライドパイプ間の隙間を埋める如くスタンド支柱部上端の内側に嵌め込まれるように環状カバーが構成されており、スタンド支柱部上端は露出していた。従って、スライドパイプの上端に取り付けられた送風部等に横方向の力が加わると、スタンド支柱部上端と環状カバーとの間に隙間が発生しやすくなる。
【００３０】
これに対して、上記本実施形態のものでは、スタンド支柱部１２の上端は、全周にわたって環状カバー４０に覆われて保持されることになる。これにより、スライドパイプ１３より上部に横方向の力が加わっても、スタンド支柱部１２の上端と環状カバー４０との間に隙間が発生することはない。また、亀裂等が生じやすいスタンド支柱部１２の上端が環状カバー４０で全周保持されているので、強度的にも強くなる。また、スタンド支柱部１２の上端に、成形の際のゲート（湯口）を設けても、ゲート跡が表に出ない等のメリットがある。
【００３１】
また、上記環状カバー４０には、一端側に環状カバー４０の背面側開口部４６から露出する押しボタン４７が設けられ、支点４８を介して他端側にスライドパイプ１２の外周面に向けて付勢されるフック部４９が形成された回動レバー５０が取り付けられている。
【００３２】
また、スライドパイプ１３の下端には、ゼンマイ状に巻かれた定荷重バネ５１を収納するバネ収納部５２が取り付けられている。この定荷重バネ５１は、その端部５１ａ側がスタンド支柱部１２の後部側に取り付けられて、バネ収納部５２内にゼンマイ状に巻かれて収納されている。上記回動レベー５０のフック部４９をスライドパイプ１３側に押し付ける付勢力は、定荷重バネ５１の端部５１ａが回動レバー５０のフック部４９を背面側から押圧することにより得られる。このフック部４９は、スライドパイプ１３の上方に形成された図示しない凹部に係合して、スライドパイプ１３がその位置でロックされるようになっている。
【００３３】
従来は、上記特開平９−２６４２９０号公報に開示されているように、回動レバーの付勢力を得るために、本実施形態と同様に定荷重バネの端部を利用しているが、定荷重バネの端部の取付位置が回動レバーの背面側にあり、バネ端部で回動レバーの支点の直下を押圧している。従って、ロックが甘くなったり、操作力が重くなると共に、スタンド支柱部の外径も大きくなる。
【００３４】
これに対して、本実施形態のものでは、定荷重バネ５１の端部５１ａが押圧するフック部４９は作用点に近い（支点４８から遠い）ことから、確実なロック効果が得られる。また、定荷重バネ５１の端部５１ａの取付位置が回動レバー５０の下方にあることから、回動レバー５０の背面側に取り付ける上記従来技術に比べて、その取付スペースを確保しなくても良くなるためスタンド支柱部１２の外径を小さくすることができ、スタンド支柱部１２のスリム化とデザイン状のメリットも得られる。
【００３５】
【発明の効果】
以上のように本願発明によれば、送風部を支持するスタンドベース部の裏面側外周部に、間隔を空けて突設配置されたクッション体による接地部を有する扇風機において、スタンドベース部の裏面側外周部に、スタンドベースの裏面に取り付けられる底板をネジ止めするための底板取付用ボスを形成すると共に、該取付用ボスの外側に隣接してクッション体を圧入する圧入部を形成し、当該圧入部にクッション体を圧入して仮固定してから、底板を底板取付用ボスにネジ止め固定することにより、底板に形成した張り出し部で仮固定されたクッション体の一部を押さえて、クッション体を固定する構成としたことによって、予めスタンドベース部の圧入部にクッション体を圧入して仮固定しておき、この状態で底板を自動機でネジ止めすることができるので、製品組立時の効率向上を図ることができる。
【００３６】
さらに、前記圧入部は、底板の外周縁をネジ止めするための底板取付用ボスの外側に隣接して形成されて成るものであるから、底板のネジ止め固定により、その外側にあるクッション体も底板の張り出し部によってしっかりと固定できる。
【００３７】
一方、スタンドベース部の裏面側外周部に、各クッション体間に位置してクッション体よりも突出長が短い補助接地部を形成したことにより、扇風機が最も傾きやすい方向であるクッション体のない方向に傾いても、クッション体間に形成された補助接地部が接地して転倒に至るのを防ぐことができる。
【図面の簡単な説明】
【図１】本願発明の一実施形態に係る扇風機のスタンドベース部裏面側を示す図で、底板を取り付ける前の状態を示している。
【図２】上記底板を取り付けた後の要部拡大図で、（ａ）は底面図、（ｂ）はそのＡ−Ａ断面図。
【図３】上記底板を示す図。
【図４】上記スタンドベース部の要部縦断面図で、（ａ）はクッション体及び補助保持部が設けられた部分の縦断面図、（ｂ）は接地部が設けられていない部分の縦断面図、（ｃ）は補助接地部だけが設けられている部分の縦断面図。
【図５】上記実施形態におけるスタンド支柱部とスライドパイプとのスライド機構部を示す縦断面図。
【図６】上記図５の要部を示す半断面図。
【図７】本願発明が適用される扇風機の全体構成図。
【符号の説明】
１  扇風機本体
１１  スタンドベース部
１２  スタンド支柱部
１３  スライドパイプ
１７  送風部
２０  底板
２１  スタンドベース部外周縁
２２  環状リブ
２３  底板取付用ボス
２４  クッション体装着用リブ
２５  クッション体
２５ａ  突出部
２５ｂ  凹部
２６  圧入部
２８  張り出し部
２９  底板固定ネジ
３０  補助保持部
３１  補助接地部
４０  環状カバー
４４  段部
４５  環状溝
４７  押しボタン
４８  支点
４９  フック部
５０  回動レバー
５１  定荷重バネ
５１ａ  定荷重バネの端部
【図１】
0004521910.tif 000002
【図２】
0004521910.tif 000003
【図３】
0004521910.tif 000004
【図４】
0004521910.tif 000005
【図５】
0004521910.tif 000006
【図６】
0004521910.tif 000007
【図７】
0004521910.tif 000008